(57)【特許請求の範囲】
【請求項１】
枠材を矩形枠形状に枠組みして形成されて天井に開設した開口周りに固定され、開口を通して天井裏に入れられた蓋体を支承して開口を閉塞する天井点検口であって、
前記蓋体を各前記枠材の内周縁部にフランジ状に張り出す支承片により特定の対角線方向に沿って使用準備位置と使用位置との間で進退移動可能に支承するとともに、
隣接する２辺の前記枠材には、使用準備位置から使用位置への移動に伴って蓋体の隅角部三箇所の近傍上面に重合して浮き上がり量を規制するとともに、蓋体が使用準備位置にあるとき該蓋体との重合が解除される押さえ片が支承片に対して所定間隔を隔てて形成される天井点検口。
【請求項２】
所定断面形状からなる枠材の二種類の２組を、同一種類毎に隣接配置して矩形枠状に枠組みして形成されるとともに、
一方の種類の枠材の各々には、前記支承片に対して所定間隔を隔てて平行で、かつ、張り出し量が前記支承片より小さな前記押さえ片が形成される請求項１記載の天井点検口。
【請求項３】
前記押さえ片の先端部には、支承片側に向かって移動する蓋体の周縁に衝接して蓋体を使用準備位置にガイドする傾斜面が形成される請求項２記載の天井点検口。
【請求項４】
前記蓋体を支承する支承部と蓋体との間に介装される気密材を有する請求項１ないし３のいずれかに記載の天井点検口。
【発明の詳細な説明】
【技術分野】
【０００１】
本発明は天井点検口に関するものである。
【背景技術】
【０００２】
天井に開設した開口周りに固定され、開口を通して天井裏に入れられた蓋体を支承して開口を閉塞する天井点検口としては、従来、特許文献１に記載されたものが知られている。この従来例において、天井点検口は、開口の内方へ支持片を四周から張り出すとともに、高さの異なる係止部材の一対を開口の上方に対設し、かつ、弾性能を有する係止片を各係止部材の基端に形成する。
【０００３】
以上の天井点検口は、支持片と係止片との間に蓋体を挟着するために、風圧等によって蓋体が煽られて外れるのを防止でき、また、係止片が弾性変形したときにも係止部材が蓋体の上昇を防ぐ。高さのより高い係止部材の一方には、傾斜する蓋体の端縁を開口外方側に呑み込み可能な呑込み凹部が形成されており、蓋体を取り外す際には、ケンドン操作、すなわち先ず最初に、呑込み凹部のある一方の係止部材に面した蓋体の一端縁部側を上方に押せば、対応位置にある係止片が弾性変形を伴って係止解除して蓋体が傾き、次いで、蓋体を傾けた状態のまま呑込み凹部側にスライド移動させれば、反対位置にある係止片も係止解除する。この状態で蓋体の反対側の端縁は係止部材から外れた位置にあり、最後に当該端縁部を上方に押せば、蓋体を取り外すことができる。
【先行技術文献】
【特許文献】
【０００４】
【特許文献１】特開平７-１９７６３９号公報
【発明の開示】
【発明が解決しようとする課題】
【０００５】
しかしながら、上述した従来例においては、蓋体の脱着操作性を考慮すると係止片の弾性能を高める必要があるために、蓋体の煽り防止を実質的に係止部材に頼ることになる。この係止部材と蓋体とは、係止片や呑込み凹部の配置スペース等を確保するためにかなりの距離を隔てて配置しなければならず、したがって従来例は、高気密住宅のドア開閉時などに蓋体が大きく浮き上がり、また、その際に蓋体が傾いて側方にずれるなどして外れてしまったり、さらには、外れた蓋体が室内に落下してしまうおそれを避けられないという欠点がある。
【０００６】
さらに、従来例においては蓋体の脱着操作に多大な手間がかかるという欠点もある。
【０００７】
本発明は以上の欠点を解消すべくなされたものであって、高気密住宅のドア開閉時などに蓋体が外れてしまうのを有効に防止でき、かつ、開閉操作性を良好にすることも可能な天井点検口の提供を目的とする。
【課題を解決するための手段】
【０００８】
本発明によれば上記目的は、
枠材７を矩形枠形状に枠組みして形成されて天井１に開設した開口２周りに固定され、開口２を通して天井裏３に入れられた蓋体４を支承して開口２を閉塞する天井点検口であって、
前記蓋体４を各前記枠材７の内周縁部にフランジ状に張り出す支承片８により特定の対角線Ｄ方向に沿って使用準備位置と使用位置との間で進退移動可能に支承するとともに、
隣接する２辺の前記枠材７には、使用準備位置から使用位置への移動に伴って蓋体４の隅角部三箇所の近傍上面に重合して浮き上がり量を規制するとともに、蓋体４が使用準備位置にあるとき該蓋体４との重合が解除される押さえ片９が支承片８に対して所定間隔を隔てて形成される天井点検口を提供することにより達成される。
【０００９】
本発明によれば、枠材７を矩形枠形状に枠組みして形成される天井点検口は、蓋体４を特定の対角線Ｄ方向に沿って並進移動可能に支承し、使用準備位置と使用位置との間での蓋体４の進退移動を許容する。
使用準備位置から使用位置への移動に伴って蓋体４の上面に重合する押さえ部６が枠材７に設けられる押さえ片９により形成され、この押さえ部６によって蓋体４の使用位置での浮き上がり量を規制する。さらに、押さえ部６による蓋体４の使用位置での浮き上がり量の規制は、蓋体４の使用準備位置からの対角線Ｄ方向への移動を利用して、その隅角部５三箇所の近傍においてなされる。
【００１０】
したがって使用位置に蓋体４を位置合わせすることにより、押さえ部６によって蓋体４を押さえ、蓋体４が天井裏３に移動するのを防止あるいは抑制することができる。また、使用準備位置に位置合わせすれば、押さえ部６を避けることができるために、例えば当該使用準備位置において蓋体４を室内側から持ち上げ可能にしておくことにより、蓋体４を天井裏３側に取り外して容易に開放することができる。蓋体４の取り付けは、以上とは逆に天井裏３で蓋体４を使用準備位置に位置合わせして室内側に向かって下ろすようにすれば足りる。
【００１１】
さらに、天井裏３への移動を防止、抑制するために蓋体４を対角線Ｄ方向に移動、すなわち水平移動によって押さえ部６の下方に潜り込ませ、また、押さえ部６の下方から引き出して取り外し可能にすることにより、蓋体４と押さえ部６とを近接配置することができ、これにより、高気密住宅のドア開閉時などに蓋体４が外れるおそれのあるような高さまで浮き上がってしまうのを有効に防止することができる。
【００１２】
加えて、押さえ部６による押さえは、蓋体４の隅角部５三箇所の近傍においてなされるために、隅角部５間の距離、言い換えれば蓋体４の一辺の長さによる作用と相まって、蓋体４の縦横双方向への傾きを効果的に防止、抑制することができる。また、このような押さえ部６の隅角部５三箇所の近傍への重合は、蓋体４における使用位置側の隅角部５一箇所の近傍と、この１箇所の隅角部５に隣接する隅角部５二箇所の近傍とを押さえ部６の重合対象にすることにより、蓋体４を使用位置側に向かう対角線Ｄ方向に移動させることによって極めて簡単に実現できる。さらに、押さえ部６の重合領域を蓋体４の隅角部５三箇所の近傍とすることにより、例えば蓋体４の中央部近傍を重合領域にする場合に比べて、押さえ部６を重合させる際の蓋体４の対角線Ｄ方向への移動量を小さくすることができ、操作性を高めることが可能になる。
【００１３】
以上の天井点検口は、例えば、蓋体４を支承するために形成される支承部１１の開口２への張り出し量をやや大きく設定することにより、蓋体４を開口２よりもひとまわり小さい面積にしても支承することができ、また、このような小さな面積を利用して蓋体４を水平方向に並進移動自在にもすることができる。さらに例えば、その隅角部５三箇所の近傍において、上述の支承部１１の上方に所定間隔を隔てて平行に押さえ部６を張り出させれば、残余の一箇所の隅角部５側からの対角線Ｄ方向への蓋体４の移動によって、蓋体４の隅角部５三箇所の近傍を押さえ部６の下方へと潜り込ませることが可能である。また、上述した残余の一箇所の隅角部５近傍における支承部１１の開口２への張り出し量を蓋体４の移動量よりも大きく設定すれば、移動の前後において開口２の閉塞状態を維持することが可能である。
【００１４】
なお、蓋体を支承した状態では、押さえ部の配置を室内側からは把握できないために、例えば、上述した特定の対角線Ｄ方向などを判別する目印となるものを室内側露出部分に設けるなどしても足りる。
【００１５】
さらに、この場合において、
所定断面形状からなる枠材７Ａ、７Ｂの二種類の２組を、同一種類毎に隣接配置して矩形枠状に枠組みして形成され、
各枠材７には、枠組み状態において内周縁部にフランジ状に張り出す支承片８が形成されるとともに、
一方の種類の枠材７Ａの各々には、上記支承片８に対して所定間隔を隔てて平行で、かつ、張り出し量のより小さな押さえ片９を形成すれば、枠材７の共通性を高めて量産効率を向上させることができる。
【００１６】
加えて、上述のように押さえ部６等を支承部１１等の上方に張り出させてしまうと、蓋体４を天井裏３から下ろして取り付ける際に押さえ部６が邪魔になりやすい。特に、室内側から持ち上げている蓋体４を下ろして取り付ける際には、天井裏３側の押さえ部６の位置が見えないことから、押さえ部６をかわす姿勢に蓋体４を合わせるのが困難になる。この点、上述した押さえ片９の先端部に、支承片８側に向かって移動する蓋体４の周縁に衝接して蓋体４を使用準備位置にガイドする傾斜面１０を形成すれば、使用準備位置におおよそ位置合わせしておいた蓋体４を適宜下ろすだけで押さえ部６をかわして支承部１１上へとスムーズに移動させることができる。
【００１７】
加えてまた、上述した支承部１１と蓋体４との間に気密材１２を介装すれば、すきま風の防止や防音性能等の向上、あるいは高気密住宅における気密性の維持には望ましい。さらに、このような気密材１２として高摩擦体を採用した場合には、蓋体４の移動抵抗を高めることができるために、振動などによって蓋体４が使用位置と使用準備位置との間で妄りに移動するのを防ぐことができる。
【発明の効果】
【００１８】
以上の説明から明らかなように、本発明によれば、高気密住宅のドア開閉時などに蓋体が外れてしまうのを有効に防止でき、かつ、開閉操作性を良好にすることも可能な天井点検口を提供することができるために、室内環境や天井裏設備の良好な維持、管理を容易にすることができる。
【図面の簡単な説明】
【００１９】
【図１】本発明に係る天井点検口を示す図で、（ａ）は平面図、（ｂ）は（ａ）の１Ｂ-１Ｂ線断面図である。
【図２】天井点検口の組立、設置作業を説明する斜視図で、（ａ）は組立方法を示す図、（ｂ）は設置状態を示す図である。
【図３】蓋体との取り合いを示す図で、（ａ）は蓋体を天井裏から下ろすときを説明する端面図、（ｂ）は（ａ）の３Ａ部分拡大図、（ｃ）は（ａ）の３Ｂ部分拡大図である。
【図４】使用操作を説明する図で、平面図である。
【図５】使用操作に伴う蓋体の動作を説明する図で、図４の５Ａ-５Ａ線断面図である。
【図６】使用操作に伴う蓋体との取り合いを説明する図で、（ａ）は図５の６Ａ-６Ａ線端面図、（ｂ）は図５の６Ｂ-６Ｂ線端面図である。
【発明を実施するための形態】
【００２０】
図１および図２（ａ）に本発明に係る天井点検口Ａを示す。この実施の形態において、天井点検口Ａは、蓋体４を支承する支承部１１と、蓋体４の支承部１１上からの浮き上がり量を規制する押さえ部６とを有し、点検用開口部２０を囲む矩形枠状に形成される。
【００２１】
上記支承部１１は、内周縁部に全周に渡って張り出すフランジ状に形成され、蓋体４の周縁部を支承することにより点検用開口部２０を閉塞可能にする。この支承部１１が配置される天井点検口Ａの下端には、反対の外周縁部に全周に渡って張り出す化粧フランジ２１も形成され、これにより天井１の見切り部分を隠すことができる。なお、説明の便宜上、上下等の位置関係については、天井点検口Ａの天井１への設置状態を基準にして定義する。
【００２２】
一方、上記押さえ部６は、内方に向かって張り出す鍔状に形成される。その形成範囲は、支承部１１のように矩形枠状からなる天井点検口Ａの全周ではなく、隣接する２辺のほぼ全長のみとされ、蓋体４の厚さに適宜のクリアランスを加味した程度の間隔を隔てて支承部１１と平行に配置される。この押さえ部６は、支承部１１の上方に配置され、また、支承部１１よりも内方への張り出し量がやや小さくされる。
【００２３】
以上の天井点検口Ａは、アルミニウム等の金属材料からなり、図２（ａ）に示すように、各辺に対応する枠材７の四本を枠組みして形成される。全ての枠材７は長手寸法の同じ押し出し成形品であり、上述した押さえ部６の有無に応じて、二種類（７Ａ、７Ｂ）の２組により構成される。
【００２４】
一方の種類の枠材７Ａは、図２（ａ）等に示すように、帯状の見切り片２２の両側縁から直交方向に支承片８と押さえ片９を並設し、また、支承片８の反対方向に化粧片２３を張り出して形成される。これに対し、他方の種類の枠材７Ｂは、上述の押さえ片９が省略され、見切り片２２の一側縁のみから支承片８と化粧片２３をそれぞれ直交方向に延設して形成される。支承片８と化粧片２３の見切り片２２からの張り出し寸法は、これら二種類の枠材７Ａ、７Ｂの両者において同じであり、また、両者ともに見切り片２２が天井材２４の厚さよりもやや幅広に形成されることにより、各支承片８を内向きに向かい合わせるようにして全ての枠材７を矩形に枠組みすることよって、上述した支承部１１、化粧フランジ２１のそれぞれが支承片８、化粧片２３の４組を組み合わせて形成される。また、上記押さえ片９が見切り片２２からの張り出し寸法を支承片８よりもやや小さくされることにより、上述の枠組みに際して押さえ片９同士を隣接２辺に配置することによって、上述の押さえ部６が押さえ片９の２組を組み合わせて形成される。
【００２５】
また、上記支承片８と化粧片２３のそれぞれの上面には、気密性に優れ、かつ、摩擦抵抗の大きい発泡ポリエチレンからなる気密材１２が取り付けられる。この気密材１２は支承片８等の長手方向に沿って長尺の帯状をなし、枠材７の枠組みによって枠材７同様、連続する矩形枠状をなす。その幅は、後述する気密性や摩擦抵抗を考慮して決定される。
【００２６】
さらに、上記見切り片２２の上端縁からは、見切り片２２を上方に向かって延長させるようにして取付片２５が延設される。この取付片２５は、天井点検口Ａをねじ止めによって天井１に取り付ける際の取り付け代として機能するものであり、延設方向の中間部には、上述の枠組みの際に内側に面し、ねじ止め高さ位置の目安となる溝２５ａが凹設される。加えて、押さえ片９の先端縁には、先端に行くに従って漸次支承片８に近接する傾斜面１０が形成される。
【００２７】
以上の枠材７は、四本それぞれの両端を合わせて矩形枠状になるように両端が４５度の角度で切断され、その枠組みに際してはコーナーピース２６が用いられる。このコーナーピース２６は枠材７の端部同士を連結させるものであり、具体的には、枠材７の端部に連結可能な連結片２７の一対を直交方向に配置して略Ｌ字形状に形成され、金属板材を略Ｌ字状に折曲等することにより製作される。上記連結片２７は略板状に形成され、上述した見切り片２２の幅にほぼ一致する程度の幅寸法に形成される。なお、図２（ａ）において２７ａは、ダボ出し加工等により板厚方向に押し出して形成される凸部であり、後述するスロット部２８との嵌合による連結をスムーズにするために、スロット部２８との嵌合時の接触面積を小さく抑えつつ長尺の連結片２７をバランス良く所定の厚さ寸法に形成する。
【００２８】
また、以上のコーナーピース２６を介して相互に連結可能にするために、枠材７には上述したスロット部２８が形成される。このスロット部２８は、連結片２７を嵌合可能なスロット状の開口部であり、上述した見切り片２２と取付片２５との間に帯状の幅狭片２９を折曲形成することにより、この幅狭片２９と見切り片２２を利用して形成される。具体的には、幅狭片２９を見切り片２２の上端から直交方向に外側に向かって形成し、この状態で対峙する幅狭片２９と化粧片２３とのそれぞれから、見切り片２２との間に連結片２７の板厚に相当する間隔を隔てて突条３０を対向するように立設して形成される。なお、図２に示すように、コーナーピース２６の連結片２７には六角形状の貫通孔２７ｂが設けられており、枠材７のスロット部２８に連結片２７を挿入後、見切り片２２の上記貫通孔２７ｂと重合する部分を内方からプレスして、隣接する枠材７、７を連結する。
【００２９】
したがって天井点検口Ａは、枠材７の端部同士をコーナーピース２６によって直交方向に順次連結することにより、見切り片２２によって四周を包囲した矩形枠状に構成される。天井１への設置は、図２（ｂ）および図５に示すように、天井点検口Ａとほぼ一致する大きさの開口２を天井１の野縁３１、３１間に開設し、この開口２内に室内側から天井点検口Ａを挿入した上で、取付片２５を貫通して野縁３１に木ネジ３２をねじ込むことによりなされる。気密材１２を介して化粧フランジ２１を天井１に圧接させ、対向位置の取付片２５、２５で一対の野縁３１、３１に対してねじ止めされることにより、天井点検口Ａは、天井１に対して強固に固定され、また、固定状態において開口２との間に高い気密性を確保する。
【００３０】
この状態で天井１には、開口２よりもひとまわり小さいサイズの点検用開口部２０が開放しており、かかる点検用開口部２０を開閉するための蓋体４は、天井材２４を利用して現場施工により製作される。この蓋体４の材料としての天井材２４には、上述の開口２を開設する際に切り出した端材を流用することが可能であり、かかる端材を点検用開口部２０の広さよりもやや大きい程度にひとまわり小さくサイズ調整して得られる。天井材２４の表面にはクロス３３が貼り付けられており、上述のサイズ調整に際して天井材２４のみを切断し、クロス３３を切断せずに残しておくことにより、天井材２４の周縁から飛び出すクロス３３を利用して周縁周りをも覆えば、図３（ａ）に示すように、天井材２４の室内面のみならず、側縁および裏面の周縁部をもクロス３３で覆った端材を蓋体４として得ることができる。
【００３１】
また、上述したサイズ調整に際し、天井点検口Ａの隣接する２辺に形成された押さえ部６の先端縁と、残余の２辺の見切り片２２とで四周をほぼ囲まれた領域（以下「天井裏側開口部３４」という。）内に収まる程度のサイズにしておくことにより、図３（ａ）に示すように、蓋体４を天井裏３から下ろすと、上記天井裏側開口部３４を通過し、その周縁部を支承部１１により支承して点検用開口部２０を蓋体４により閉塞することができる。さらに、この実施の形態において、蓋体４は、その平面中心を天井裏側開口部３４の平面中心と位置合わせした正規位置において、図３（ｂ）および（ｃ）に示すように、天井裏側開口部３４との間に全周に渡って適宜のクリアランス（Ｃ）を隔てるように調整される。
【００３２】
加えて、上述のように押さえ片９の先端部には傾斜面１０が形成されるために、蓋体４を天井裏３から下ろす際にその周縁が傾斜面１０に衝接したときには、この傾斜面１０によって天井裏側開口部３４内へとガイドされる。したがって蓋体４を天井裏３から下ろす際には、図３（ｂ）に示すように、上述したクリアランス（Ｃ）に加え、傾斜面１０の平面寸法（Ａ）をも加算した正規位置からの位置ずれがあっても、これを吸収して支承部１１上へとスムーズに載置することができる。
【００３３】
さらに、押さえ部６の先端部には、第２の傾斜面３５も形成される。この第２の傾斜面３５は、図３（ｂ）に示すように、上述した傾斜面１０とは反対の室内側に面し、先端に行くに従って漸次押さえ部６に近接する形状、すなわち上方に向かって傾斜する。したがって蓋体４は、第２の傾斜面１０の平面寸法（Ｂ）に応じた正規位置からの位置ずれがあっても、第２の傾斜面３５にガイドされて支承部１１上から天井裏３へとスムーズに持ち上げることができる。
【００３４】
加えてまた、上述した押さえ部６、すなわち押さえ片９が形成された見切り片２２は、正規位置をとる蓋体４の周縁との間に間隔（Ｓ）の隙間を隔てる。したがって蓋体４は、正規位置において、その２辺の各辺縁と見切り片２２との間の隙間の間隔（Ｓ）の範囲で水平移動することができる。この平面移動可能な寸法（Ｓ）は、上述した第２の傾斜面３５の平面寸法（Ｂ）よりも大きく、したがって蓋体４は、正規位置から水平方向にずらすことにより、押さえ片９が上面に干渉して浮き上がりが規制される。また、この平面移動可能な寸法（Ｓ）は、支承部１１の見切り片２２からの張り出し寸法よりも小さくされる。
【００３５】
さらにまた、押さえ片９は天井点検口Ａの隣接する２辺に形成されるために、蓋体４は、この２辺の交点を通る対角線Ｄ方向に移動することもでき、この移動によれば、その上面に対して押さえ片９の二組が同時に干渉する。隣接する２辺に形成された二組の押さえ片９は、矩形板状の蓋体４における隣接する２辺の辺縁部のほぼ全長に渡って同時に干渉し、蓋体４の浮き上がりを極めて有効に規制する。すなわち、蓋体４は、押さえ部６によって上記２辺に含まれる隅角部５三箇所において浮き上がりを規制されることにより、特定の一辺を中心にして傾斜方向に回転しようとしても、回転先端側の少なくともいずれかの隅角部５においては回転方向への移動が規制されることとなるために、回転、傾斜することはなく、また、大きくガタつくようなこともない。さらに、回転先端側において蓋体４の回転を規制することにより、押さえ片９にあまり高い強度が必要となることもない。
【００３６】
したがってこの実施の形態において、正規位置やその周辺のクリアランス（Ｃ）によって天井裏３へと持ち上げ可能な位置（使用準備位置）から蓋体４を押さえ部６に向かう対角線Ｄ方向（図４における二点鎖線の矢印方向）に沿って押さえ部６に向かってスライドさせると、その２辺の辺縁部が押さえ部６の下方に第２の傾斜面３５の形成範囲を超えて潜り込む位置（使用位置）まで蓋体４を移動させることができる。このスライド操作は、図５および図６（ａ）に示すように、蓋体４の辺縁が押さえ部６下方の見切り片２２に対して衝接するまですることができ、この状態では上述のように蓋体４の２辺の辺縁部の上方に押さえ部６が位置する。このため、例えば以上の天井点検口Ａを高気密住宅に設置した場合において、ドア開閉時の圧力によって蓋体４を押し上げる力が働いても、この状態であれば蓋体４が浮き上がることはない。
【００３７】
また、図６（ｂ）に示すように、この状態において蓋体４は、押さえ部６とは反対側の辺縁部が支承部１１上に乗り上げている状態を維持しており、したがって周縁部の全周が支承部１１により支承された状態にあるため、点検用開口部２０の閉塞状態も維持される。
【００３８】
さらに、この状態で蓋体４と支承部１１との間には、気密材１２が点検用開口部２０周りの全周に渡って配置されており、化粧フランジ２１と天井１との間に配置される上述した気密材１２と相まって室内の気密性が高められる。このため、天井点検口Ａの設置によって、住宅の高気密性の等級が低下するようなこともない。
【００３９】
天井点検口Ａを開放する際には、蓋体４を対角線Ｄ方向に沿って押さえ部６から離れる方向に向かってスライドさせれば、蓋体４を押さえ部６の下方から引き出して天井裏３へと持ち上げ可能な位置まで復帰させることができる。このスライド操作は、天井裏側開口部３４を挟んで二組の押さえ片９に対峙する二組の見切り片２２に蓋体４が衝接するまですることができ、この状態では上述のように蓋体４を持ち上げることができる。蓋体４を持ち上げた後は、必要に応じて、例えば蓋体４を傾けてその矩形の一辺を点検用開口部２０の対角線Ｄに合わせて室内側に取り外す等すれば、点検用開口部２０から天井裏３の設備を点検することができる。なお、上述のように気密材１２には摩擦抵抗の大きいものが用いられているために、振動などによって蓋体４が妄りにスライド移動し、開放不能な状態から開放可能な状態へと移行してしまうことはない。
【符号の説明】
【００４０】
１                天井
２                開口
３                天井裏
４                蓋体
５                隅角部
６                押さえ部
７（７Ａ、７Ｂ）  枠材
８                支承片
９                押さえ片
１０                傾斜面
１１                支承部
１２                気密材
Ｄ                対角線
【図１】
0006534267.tif 000002
【図２】
0006534267.tif 000003
【図３】
0006534267.tif 000004
【図４】
0006534267.tif 000005
【図５】
0006534267.tif 000006
【図６】
0006534267.tif 000007